(57)【要約】【課題】壁パネル本体の設置だけで照明ユニットによる間接照明としての機能を同時に付与することができ、しかも照明ユニットの薄型化によって後付け感をなくすことができ、専門的な建築照明の知識がなくても明るさ感があり、美観性に優れた間接照明を容易に実現でき、施工性の向上を図ることができる。【解決手段】壁面４に設置される壁パネル本体２を備え、上方乃至斜め上方Ｂに向かって光を照射するための棒状の導光体７を備える照明ユニット３を上記壁パネル本体２の上端部２ａの長手方向Ａに沿って配設した照明機能付き壁パネル１である。【選択図】図１
2010129476.tif 000002
【特許請求の範囲】
【請求項１】
壁面に設置される壁パネル本体を備え、上方乃至斜め上方に向かって光を照射するための棒状の導光体を備える照明ユニットを上記壁パネル本体の上端部の長手方向に沿って配設してなることを特徴とする照明機能付き壁パネル。
【請求項２】
上記壁パネル本体の上端部の長手方向に沿って長尺の額縁材を取り付け、該額縁材の内部に、上記棒状の導光体を収納するための上方に開口した空間を形成したことを特徴とする請求項１記載の照明機能付き壁パネル。
【請求項３】
上記棒状の導光体の長手方向の一端面を光源に対向して配置される光入射面とし、導光体の上向きとなる一側面を上記光入射面から入射した光源からの光を出射する光出射面としたことを特徴とする請求項１又は２記載の照明機能付き壁パネル。
【発明の詳細な説明】
【技術分野】
【０００１】
本発明は、照明機能付き壁パネルに関し、詳しくは例えば室内の天井面或いは壁面に反射させた光により間接照明を行なう照明機能付き壁パネルに関するものである。
【背景技術】
【０００２】
従来から、室内の天井面と壁面とのなすコーナー部にカーテンボックスを設け、カーテンボックスから天井面と平行に照明器具取付ベースを突出させ、この照明器具取付ベースの上面に天井面に向かって光を照射するための照明器具を取り付けた間接照明装置が知られている（例えば、特許文献１参照）。
【０００３】
ところが従来の間接照明装置は、カーテンボックスが設けられる部屋のコーナー部にしか適用できず、しかもカーテンボックスから突出する照明器具取付ベースによって照明器具の後付け感が目立つなど、外観が損なわれるという問題がある。そのうえ、天井面からの間接光の明るさ機能を確保したり、光ムラの原因や、天井面或いは壁面への熱の影響等を配慮した設計とする必要性から、建築照明としての専門知識が要求され、施工に手間がかかるという問題もある。
【特許文献１】特開２００７−１６５１８１号公報
【発明の開示】
【発明が解決しようとする課題】
【０００４】
本発明は上記の従来の問題点に鑑みて発明したものであって、壁パネル本体の設置だけで照明ユニットによる間接照明としての機能を同時に付与することができ、照明ユニットの薄型化によって後付け感をなくすことができると共に、専門的な建築照明の知識がなくても明るさ感があり、美観性に優れた間接照明を容易に実現でき、施工性の向上を図ることができる照明機能付き壁パネルを提供することにある。
【課題を解決するための手段】
【０００５】
前記の課題を解決するために、本発明に係る照明機能付き壁パネルは、壁面４に設置される壁パネル本体２を備え、上方乃至斜め上方Ｂに向かって光を照射するための棒状の導光体７を備える照明ユニット３を上記壁パネル本体２の上端部２ａの長手方向Ａに沿って配設してなることを特徴としている。
【０００６】
このような構成とすることで、壁パネル本体２を室内の壁面４に取り付けるだけで、壁パネル本体２自体から光を照射する照明機能が得られると共に、壁パネル本体２に対する照明ユニット３の後付け感をなくすことができる。また例えば室内の天井面５と壁面４とのなすコーナー部において間接照明を行なう場合は、該コーナー部よりも下方に間隔をあけた壁面４部分に壁パネル本体２を設置するだけで、照明ユニット３による間接照明としての機能を同時に付与することができると共に、建築照明としての専門知識も必要でなくなり、施工がきわめて容易となる。そのうえ棒状の導光体７によって光の明るさ感を増すことができると共に照明ユニット３の薄型化が容易となり、従って、壁パネル本体２の上端部２ａからの照明ユニット３の突出幅を極力小さくできて、壁パネル本体２と照明ユニット３の一体感が得られ、外観が一層良好となる。
【０００７】
また、上記壁パネル本体２の上端部２ａの長手方向Ａに沿って長尺の額縁材６を取り付け、該額縁材６の内部に、上記棒状の導光体７を収納するための上方に開口した空間を形成するのが好ましく、この場合、照明ユニット３が額縁材６によって隠蔽され、外部から照明ユニット３が見えず、外観デザイン性が向上する。
【０００８】
また、上記棒状の導光体７の長手方向Ａの一端面を光源８に対向して配置される光入射面７ａとし、導光体７の上向きとなる一側面を上記光入射面７ａから入射した光源８からの光を出射する光出射面７ｂとするのが好ましく、この場合、光源８からの限られた光量を導光体７を介して効率良く出射させることができ、照射量の増加が容易となる。
【発明の効果】
【０００９】
請求項１記載の発明は、壁パネル本体自体が帯状光を照射するための照明ユニットを備えているので、壁パネル本体を壁面に設置するだけで照明ユニットによる間接照明としての機能を同時に付与することが可能となり、しかも建築照明としての専門知識も必要とせず、施工性が向上するものである。そのうえ照明ユニットとして棒状の導光体を用いたことにより、光の明るさ感を増すことができると共に、照明ユニットの薄型化が容易となる。
【００１０】
請求項２記載の発明は、壁パネル本体の上端部の長手方向に沿って設けられる額縁材の内部に照明ユニットを収納したことにより、照明ユニットが外部から見えず、後付け感をなくすことができ、外観デザイン性を向上させることができる。
【００１１】
請求項３記載の発明は、棒状の導光体の長手方向の一端面を光入射面とし、導光体の上向きとなる一側面を光出射面としたことにより、光源からの限られた光量を導光体を介して効率良く出射させて間接照明機能の一層の向上を図ることができる。
【発明を実施するための最良の形態】
【００１２】
以下、本発明を添付図面に示す実施形態に基いて説明する。
【００１３】
本実施形態の照明機能付き壁パネル１は、壁パネル本体２の上端部２ａの長手方向Ａに沿って、上方乃至斜め上方Ｂに向かって光を照射するための照明ユニット３を配設して構成されている。以下の例では斜め上方Ｂに照射する場合を説明する。
【００１４】
壁パネル本体２は、例えば木、樹脂、陶器等の剛性体により、矩形状に形成されている。この壁パネル本体２は、通常の内装パネルではなく、間接照明機能を付与でき、さらに加えて、装飾機能、調湿機能、或いは暖房機能等の各種機能を付与することが可能とされる。図１０はトイレルームの壁面４に沿って設置する一例を示しており、壁パネル本体２内部にはヒータ回路が内蔵されており、壁パネル本体２の外表面に設けたヒータ操作盤９によって暖房機能が得られるようにしている。図１０中の１０は便器、１１は洗面化粧台である。
【００１５】
壁パネル本体２は、図２に示すように、室内の天井面５と壁面４とのなすコーナー部よりも下側の壁面４部分に沿って取り付けられるものであり、その上端部２ａの長手方向Ａ（紙面に対して垂直方向）に沿って配設された照明ユニット３から、斜め上方Ｂ、つまり壁面４の方向に向かって指向性のある帯状光が照射されるものである。
【００１６】
図１に示すように、壁パネル本体２の上端部２ａには、その長手方向Ａの略全長に亘って長尺の額縁材６が取り付けられ、この額縁材６の内部に照明ユニット３を収納している。額縁材６は、断面略Ｈ字形に形成されており、ベース部１２を挟んで上半部は照明ユニット３を取り付ける照明取付部１３として機能し、下半部はパネル取付部１４及び壁面取付部１５として機能する。これら照明取付部１３、パネル取付部１４、壁面取付部１５はそれぞれ額縁材６の長手方向Ａの全長に亘って形成されている。額縁材６の材質としては、例えば樹脂、アルミ等の剛性材が挙げられる。
【００１７】
なお図１中の１６は透明カバー部、２７は配線用の空間部である。
【００１８】
ここで、上記額縁材６の下半部には、ベース部１２の後端から垂下する背面垂下部１７と、ベース部１２の前端から垂下する前面垂下部１８とが設けられる。背面垂下部１７は、図４に示すように、釘５０によって壁面４に対して固定されるものであり、壁面取付部１５として機能する。また背面垂下部１７と前面垂下部１８とで囲まれた空間内部には、壁パネル本体２の上端部２ａが収納されており、これら背面垂下部１７と前面垂下部１８がパネル取付部１４として機能する。本例では、背面垂下部１７の長さｄを前面垂下部１８の長さｅよりも長く延ばしてあり、背面垂下部１７の釘打ち作業時に前面垂下部１８が邪魔にならないようにしてあり、また背面垂下部１７は額縁材６の長手方向Ａ全長に亘って形成されるので、額縁材６のどの位置でも壁面４に対する固定が可能となっている。
【００１９】
上記額縁材６の上半部には、ベース部１２の後端から立ち上がる背面立ち上がり部１９と、ベース部１２の前端から立ち上がる前面立ち上がり部２０とが設けられ、これら背面立ち上がり部１９と前面立ち上がり部２０とで囲まれた上方に開口した空間内部に、図４に示すように、照明ユニット３が嵌め込まれて照明取付部１３として機能する。本例では、背面垂下部１７と背面立ち上がり部１９とが面一状に連なっていると共に、前面立ち上がり部２０と前面垂下部１８とが面一状に連なっており、額縁材６の背面及び前面においてそれぞれ段差のない外観を有している。
【００２０】
上記照明ユニット３は、図３に示すように、棒状の導光体７と、光源８と、これらを収納する上方に開口した長尺のケース部２１とを備えている。光源８として例えばＬＥＤが使用される。なお図３の例では２つの光源８を例示しているが、光源８の数は１つでもよい。
【００２１】
上記導光体７は、図５に示すように、断面矩形状に形成され、その長手方向Ａの一端面が光源８に対向して配置される光入射面７ａとし、導光体７の上向きとなる一側面を上記光入射面７ａから入射した光源８からの光を帯状光として出射する光出射面７ｂとしている。
【００２２】
導光体７からの光を壁面４に向かって集光させる一例を図７（ａ）〜（ｆ）に示す。図７中の２２は印刷或いは凹凸等によって形成される光全反射用の導光パターンである。図７（ａ）は導光パターン２２を導光体７の底面中央よりも壁面４側から離れる側に寄せて配置したものである。（ｂ）は導光体７を、光源８からの光を搬送する光搬送部７Ａと光搬送部７Ａ内の光を取り込むレンズ形状の光出射部７Ｂとで構成し、光出射部７Ｂの底面に導光パターン２２を設けると共に光出射部７Ｂを壁面方向Ｆに傾けたものである。（ｃ）は導光体７の光出射面７ｂを覆う断面三角プリズム形状の光屈折用カバー１６によって光を壁面方向Ｆに屈折させるものである。また（ｄ）は導光体７の光出射面７ｂに傾斜或いは曲面を設けることで光を壁面方向Ｆに屈折させるものであり、（ｅ）は導光体７自体を壁面方向Ｆに傾けたものであり、（ｆ）は導光体７の光出射面７ｂ側に光を壁面方向Ｆに反射させるリフレクタ４０を設けたものである。
【００２３】
上記導光体７を収納するケース部２１を額縁材６に対して取り付ける例を図６に示す。図６（ａ）はケース部２１の底面から突出した樹脂等の弾性を有する材料からなる一対の足部２３,２３をベース部１２から先端が大径の凸部２４に嵌合させる１箇所嵌合構造であり、（ｂ）はケース部２１の底面から突出した先端が大径の一対の足部２５,２５をベース部１２に凹設した一対の凹溝２６,２６内にそれぞれ嵌合させるようにした２箇所嵌合構造である。これらの嵌合構造を構成する足部２３、凸部２４又は足部２５、凹溝２６は、それぞれ、ケース部２１及びベース部２１の長手方向Ａにおいて一様な断面形状をしており、これにより、ケース部２１をベース部２１の長手方向Ａの任意の位置に嵌合固定できるようになり、結果、ケース部２１に収納される導光体７からの光の照射位置を額縁材６の長手方向Ａの任意に選択して固定できるようになっている。なお、額縁材６に対するケース部２１の取り付けは、図６の嵌合構造に限らず、例えば圧入やねじ止め等を採用してもよい。
【００２４】
しかして、上記構成の照明機能付き壁パネル１を施工するにあたっては、図４に示すように、額縁材６の背面垂下部１７を釘打ちによって壁面４に取り付けると共に、壁パネル本体２の上端部２ａを額縁材６の背面垂下部１７と前面垂下部１８との間に収納し、額縁材６の上方から照明ユニット３を嵌め込んで固定するだけでよい。
【００２５】
このように壁パネル本体２を壁面４に設置するだけで、額縁材６に内装した照明ユニット３によって壁面４を照らす間接照明としての機能も同時に付与することができるので、建築照明としての専門知識がなくても、施工が容易にできる。
【００２６】
しかも、額縁材６によって照明ユニット３が隠蔽されるため、照明ユニット３の後付け感がなくなると共に、照明ユニット３は棒状の導光体７で構成されるので、照明ユニット３を薄型化でき、壁パネル本体２の上端部２ａから大きく突出することがなくなり、外観デザイン性が良好に保たれる。
【００２７】
また、照明ユニット３は導光体７からの帯状光を壁面４に向かって斜め上方Ｂに照射するものであるから、指向性のある間接照明ができると共に、ＬＥＤ等の限られた光量を導光体７を介して効率良く壁面４に集光させることができるので、照射量が増し、結果、室内から照明ユニット３を見えないようにしながら、光の明るさ感を増すことができ、間接照明機能を一層向上させることができる。
【００２８】
さらに図６に示す嵌合構造によって、額縁材６内部に照明ユニット３を確実に固定できるので、振動等に対する信頼性を向上させることができる利点もある。
【００２９】
前記実施形態では、額縁材６内部に単一の照明ユニット３を収納する例を説明したが、例えば図８に示すように、スペーサ部材６０を挟んでその左右両側に照明ユニット３Ａ,３Ａを配置したものを額縁材６内に収納する構成としてもよい。このスペーサ部材６０は、照明ユニット３Ａ,３Ａの固定を安定化させると共に、２つの照明ユニット３Ａ,３Ａ間に暗部を生じさせることで光のコントラストを向上させるものであり、さらにスペーサ部材６０は照明ユニット３Ａ,３Ａの位置ズレを抑制させることができると共に配線モールとしての機能を持たせることが可能となる。さらに照明ユニット３Ａ,３Ａの両外側にそれぞれコーナー部材６１を配置することで、照明ユニット３Ａ,３Ａの位置ズレ抑制効果を一層高めることができる。なお、照明ユニット３と別体のスペーサ部材６０を例示したが、照明ユニット３のケース部２１の中央部分をスペーサ部材として機能させる構成も可能である。
【００３０】
図９は額縁材６の他の実施形態を示している。本例の額縁材６は、壁パネル本体２の上端部２ａから前面部２ｂに亘って配置される水平部３０及び垂下部３１と、垂下部３１の中央側から前方に突出するベース部３２と、ベース部３２の先端から立ち上がる立ち上がり部３３とが一体形成されており、垂下部３１のベース部１２よりも上側部分と立ち上がり部３３との間に照明ユニット３を収納するものである。他の構成は図１の実施形態と同様である。本例では、図１の場合と同様、導光体７によって照明ユニット３を薄くすることで、壁パネル本体２からの突出幅を極力抑えることができるので、後付け感をなくして外観デザイン性を良好に保つことができる効果に加えて、照明ユニット３を壁パネル本体２の厚み分だけ壁面４から遠ざけて配置できるので、壁面４の方向への光の照射幅が広がり、これにより広い範囲で且つ柔らかな間接光を創出できる利点がある。
【００３１】
なお、前記実施形態では、額縁材６自体が照明取付部としての機能を併せ持つものを説明したが、例えば、額縁材６を照明取付部と別体で構成して嵌め込み等で取り付ける構成とすることも可能である。
【００３２】
また照明ユニット３からの照射方向を斜め上方Ｂに向けて、壁面４に集光させる場合を例示したが、照射方向を真上に向けて天井面５に集光させる構成とすることも可能である。
【図面の簡単な説明】
【００３３】
【図１】本発明の壁パネル本体の上端部の長手方向に沿って照明ユニットを配設した照明機能付き壁パネルを壁面に設置した状態を説明する側面断面図である。
【図２】同上の照明機能付き壁パネルを室内の天井面と壁面とのなすコーナー部よりも下側の壁面部分に沿って取り付けた状態を説明する概略側面図である。
【図３】（ａ）は同上の照明ユニットの斜視図、（ｂ）は分解斜視図である。
【図４】同上の照明ユニットを収納する額縁材を壁面に対して固定した状態を説明する側面断面図である。
【図５】（ａ）は同上の導光体の光入射面に光源を対向配置した状態を説明する斜視図、（ｂ）は（ａ）の側面図である。
【図６】（ａ）は同上の照明ユニットのケース部を額縁材のベース部に嵌合する一例を示す断面図、（ｂ）は他の例を示す断面図である。
【図７】（ａ）〜（ｆ）は同上の導光体から出射する光を壁面方向に傾ける実施態様の説明図である。
【図８】他の実施形態の照明ユニットとスペーサ部材とを組み合わせた場合を説明する分解斜視図である。
【図９】さらに他の実施形態の額縁材を説明する側面断面図である。
【図１０】同上の照明機能付き壁パネルをトイレルームに設置した例を説明する斜視図である。
【符号の説明】
【００３４】
１  照明機能付き壁パネル
２  壁パネル本体
２ａ  上端部
３  照明ユニット
４  壁面
５  天井面
６  額縁材
７  導光体
７ａ  光入射面
７ｂ  光出射面
８  光源
Ａ  長手方向
Ｂ  上方乃至斜め上方
【図１】
2010129476.tif 000003
【図２】
2010129476.tif 000004
【図３】
2010129476.tif 000005
【図４】
2010129476.tif 000006
【図５】
2010129476.tif 000007
【図６】
2010129476.tif 000008
【図７】
2010129476.tif 000009
【図８】
2010129476.tif 000010
【図９】
2010129476.tif 000011
【図１０】
2010129476.tif 000012